(57)【要約】【課題】  集水器の取付位置の自由度を増し、また集水器の取付位置における強度を増すことが可能な集水器を提供する。【解決手段】  落水口２１を有する底壁２と、この底壁２から立設した前側壁３および後側壁４とを有し、底壁２、前側壁３および後側壁４のそれぞれ少なくとも両端において軒樋６の外周を挟持する集水器１において、後側壁４の上部を後方せり出し面４３とする。【選択図】図１
2008106539.tif 000002
【特許請求の範囲】
【請求項１】
落水口を有する底壁と、この底壁から立設した前側壁および後側壁とを有し、底壁、前側壁および後側壁のそれぞれ少なくとも両端部において軒樋の外周を挟持する集水器において、後側壁の上部が後方せり出し面であることを特徴とする集水器。
【発明の詳細な説明】
【技術分野】
【０００１】
本発明は、集水器に関するものである。
【背景技術】
【０００２】
従来、集水器と軒樋を取り付ける場合（例えば、特許文献１参照）には、図４、５に示すように、縦樋を取り付けようとする位置において軒樋６を切断して、切断された軒樋６、６を集水器８の両側面部に開設された軒樋差込口５１、５１に嵌合して取り付けるのが一般的である。こうすることによって、軒樋６を伝ってきた雨水等は、集水器８を通じて、集水器８の底部に垂設された縦樋連結筒部８１に嵌合して取り付けられた縦樋へと流れることが可能となる。ここで、軒樋６は当然に、図３のように吊金具７によって固定するのが一般的である。ただし、図３と図５を比較すればわかるように、吊金具７および集水器８は、図３の吊金具７と図５の集水器８の上端部に設けられた耳受け部３１、３２、４１、４２（後述）とがお互いに干渉してしまい同一の位置で取り付けることはできない。このため、集水器８の取付位置としては、吊金具７の位置を避けて、二つの吊金具７、７の間に取り付けられているのが現状であり、集水器８の位置の自由度が少ないという問題点を有していた。また、軒樋６は内部で切断されて集水器８に取り付けられているため、集水器８の取付位置では、強度が最も弱く、風、雪等によって外れてしまうという問題点も有していた。このような問題は大型物件等で採用される折版屋根において特に問題となる。なぜならば、折版屋根は山と谷が交互に連続するような波型構造であり、谷の部分には雨水が通るため、当然に山の部分に吊金具を固定設置するので、吊金具の取付位置を移動することは不可能である。また、大型物件であるため、風、雪等によって集水器にかかる力は大きなものとなる。このため、特に折版屋根における集水器については、集水器の取付位置の自由度を増し、また集水器の取付位置における強度の改善が望まれているのが実情である。
【特許文献１】実開平６−４２３０号公報
【発明の開示】
【発明が解決しようとする課題】
【０００３】
本発明は、以上の通りの事情に鑑みてなされたものであり、集水器の取付位置の自由度を増し、また集水器の取付位置における強度を増すことが可能な集水器を提供することを課題とする。
【課題を解決するための手段】
【０００４】
本発明は、上記の課題を解決するために、第１に、落水口を有する底壁と、この底壁から立設した前側壁および後側壁とを有し、底壁、前側壁および後側壁のそれぞれ少なくとも両端部において軒樋の外周を挟持する集水器において、後側壁の上部が後方せり出し面であることを特徴としている。
【発明の効果】
【０００５】
上記第１の発明によれば、後側壁の上部が後方にせり出していることによって、軒樋と後方せり出し面の間に空間が形成されるため、たとえ集水器を取り付けたい位置に吊金具があったとしても、集水器と吊金具は干渉しない。結果として、吊金具を設置してある軒樋の外から集水器を取り付けることができ、集水器の取付位置を自由にすることができる。
【０００６】
また、吊金具の設置してある場所に敢えて集水器を付けることによって、相対向する軒樋のうちの少なくとも一つを集水器内で吊ることができ、強度を増すことができる。
【０００７】
さらには、軒樋を流れてきた水が、軒樋との嵌合部分から漏れ出る危険性を減らすことができる。この効果については、以下のように説明できる。
【０００８】
通常、集水器は、軒樋の伸縮を逃がす働きもあるため、軒樋とは接着されずに外から嵌合させて設置される。このため、軒樋との嵌合部分から水が漏れる危険性がある。集水器の後側壁の下部も後方にせり出してしまうと、底壁が後方（後側壁側）に広がることになる。すると、軒樋を流れてきた水が、後側壁に当たった後に落水口を避けて流れていき、軒樋と集水器の嵌合部分から水が漏れる可能性が高まることになるのである。したがって、後側壁の上部のみが後方にせり出し、下部についてはせり出していなければ、流れてきた水が、後側壁に当たった後に落水口に落ちる可能性は高まり、軒樋との嵌合部分から漏れ出る危険性を減らすことができるのである。
【発明を実施するための最良の形態】
【０００９】
以下、本発明の実施の形態について詳しく説明する。
【００１０】
図１は、本発明の集水器の一実施形態を示した斜視図である。
【００１１】
図２は、本発明の集水器の一実施形態を示した側面図である。
【００１２】
本発明の集水器１は、落水口２１を有する底壁２と、この底壁２から立設した前側壁３および後側壁４とを有し、底壁２、前側壁３および後側壁４のそれぞれ少なくとも両端において軒樋６の外周を挟持していて、後側壁４が後方せり出し面４３を有していればよく、例えば図１、２に示されるように、軒樋６の外周にぴったりと当接するように、両側面部５、５に軒樋差込口５１、５１を設けるとともに、前側壁３と後側壁４の上辺両端に軒樋６の耳部６１を嵌合する耳受け部３１、３２、４１、４２を設け、軒樋６の外周を当接させて挟持するような形状とすることができる。
【００１３】
ここで本発明の前、後等の方向の定義としては、集水器から見て建築躯体側を後、その逆を前としており、その他はこの定義に従って両者を相対的に前方向か後方向かで判断している。
【００１４】
また、当然に水漏れを回避するために、軒樋６を取り付け場合には、例えば図１、２に示されるように、側面部５の軒樋差込口５１によって軒樋６の外周を当接しながら、耳受け部３１、３２、４１、４２によって耳部６１を挟持させればよいが、集水器１は軒樋６の伸縮を逃がすために、集水器１と軒樋６とは接着せずに、軒樋差込口５１、５１、耳受け部３１、３２、４１、４２によって当接、挟持させるのみで設置することが望ましい。
【００１５】
ここで、軒樋６は、一般的には図３のような吊金具７によって、吊り下げて設置される。図５に示された従来の集水器８と図３の吊金具７を比較すればわかるように、吊金具７が設置されていた場合、従来の集水器８の後側壁４と吊金具７（特に吊金具７の耳部嵌合部７１）とは干渉してしまうため、集水器１と吊金具７は同一の位置で設置することができないことがわかる。
【００１６】
一方、本発明の集水器１は、後側壁４の上部が後方せり出し面４３を有しているため、後方せり出し面４３と軒樋６との間には、吊金具７を挿入するための充分な空間を得ることができ、例えば図１の軒樋６の斜線部分において吊金具７を設置することができる。このため、集水器１の取付位置の自由度が増し、さらには、従来強度が弱かった集水器１の取付位置において強度を増すことができる。
【００１７】
以上の本発明の集水器については、上記の例に限定されず、細部の構造、材質等は特に制限されず、様々な態様が可能であることは言うまでもない。
【００１８】
以上のような本発明の集水器は、大型物件等で採用される折版屋根において特に有効である。上記のように折版屋根は、山と谷が交互に連続するような波型構造であり、山の部分に吊金具を固定設置するので、吊金具の取付位置を移動することは不可能で、さらに、大型物件であるため、風、雪等によって集水器にかかる力は大きなものとなる。したがって、集水器の取付位置の自由度を増し、また集水器の取付位置における強度を増すことができる本発明の集水器は、特に折版屋根において有効である。
【図面の簡単な説明】
【００１９】
【図１】本発明の集水器の一実施形態を示した斜視図である。
【図２】本発明の集水器の一実施形態を示した側面図である。
【図３】吊金具に軒樋を設置した様子を示した側面図である。
【図４】従来の集水器を軒樋に設置した様子を示した斜視図である。
【図５】従来の集水器を軒樋に設置した様子を示した側面図である。
【符号の説明】
【００２０】
１  集水器
２  底壁
２１落水口
３  前側壁
３１、３２  耳受け部
４  後側壁
４１、４２  耳受け部
４３  後方せり出し面
５  側面部
５１  軒樋差込口
６  軒樋
６１  耳部
７  吊金具
７１  耳部嵌合部
８  従来の集水器
８１  縦樋連結筒部
【図１】
2008106539.tif 000003
【図２】
2008106539.tif 000004
【図３】
2008106539.tif 000005
【図４】
2008106539.tif 000006
【図５】
2008106539.tif 000007